(57)【要約】  本発明は、特に照明システムのための、例えば色選択ホイール又はパッドによる、色選択入力に関する。本発明の一実施形態は、色相のグラデーションに関して選択可能な色を色相選択手段１２の方向に沿って表す前記色相選択手段１２と、選択可能な彩度のグラデーションを彩度選択手段１４の方向に沿って表す前記彩度選択手段１４とを有し、前記色相選択手段１２及び前記彩度選択手段１４は、これらの手段が重複領域１６を有し、前記彩度選択手段１４が、透明であり、色相及び彩度の選択を前記重複領域１６において視覚化するために完全な透明から完全な白色までのグラデーションが付されるように設けられ、当該色選択入力デバイス１０は、前記色相選択手段１２及び前記彩度選択手段１４の位置を検出し、検出された前記位置に依存して色選択信号１９を生成する手段を有する、色選択入力デバイス１０を提供する。これは、色相及び彩度の色空間を介してのナビゲートをユーザにとってより便利で直感的にする。
2011510469.tif 000002
【特許請求の範囲】
【請求項１】
色相のグラデーションに関して選択可能な色を色相選択手段の方向に沿って表す前記色相選択手段と、
選択可能な彩度のグラデーションを彩度選択手段の方向に沿って表す前記彩度選択手段と、
前記色相選択手段及び前記彩度選択手段の位置を検出し、検出された前記位置に依存して色選択信号を生成する手段とを有し、
前記色相選択手段及び前記彩度選択手段は、これらの手段が重複領域を有し、前記彩度選択手段が、透明であり、色相及び彩度の選択を前記重複領域において視覚化するために完全な透明から完全な白色までのグラデーションが付されるように設けられる、色選択入力デバイス。
【請求項２】
当該色選択入力デバイスは、選択可能な明度のグラデーションを明度選択手段の方向に沿って表す明度選択手段を更に有し、
前記明度選択手段は、前記色相選択手段及び前記彩度選択手段とともに前記重複領域を有し、前記明度選択手段が、透明であり、前記重複領域において色相、彩度及び明度の選択を視覚化するために完全な透明から完全な黒色までのグラデーションが付されるように設けられる、請求項１に記載の色選択入力デバイス。
【請求項３】
前記色相選択手段、前記彩度選択手段及び／又は前記明度選択手段は、選択ホイールにより実装される、請求項１又は請求項２に記載の色選択入力デバイス。
【請求項４】
前記彩度選択手段又は前記明度選択手段は、選択バーにより実装される、請求項１〜３のうちいずれか一項に記載の色選択入力デバイス。
【請求項５】
前記色相選択手段及び前記彩度選択手段は、選択ホイールにより実装され、
双方の選択ホイールは、前記重複領域を有する重複エリアと並んで設けられる、請求項１〜４のうちいずれか一項に記載の色選択入力デバイス。
【請求項６】
前記明度選択手段は、前記重複領域を部分的にカバーするように設けられる選択ホイールにより実装される、請求項５に記載の色選択入力デバイス。
【請求項７】
前記色相選択手段及び前記彩度選択手段は、選択ホイールにより実装され、
選択ホイールのうち１つの選択ホイールは、他の選択ホイールよりも小さな直径をもち、前記重複領域を有する重複エリアを伴う前記他の選択ホイール上に設けられる、請求項１〜４のうちいずれか一項に記載の色選択入力デバイス。
【請求項８】
前記色相選択手段、前記彩度選択手段及び／又は前記明度選択手段は、機械的回転ホイールにより実装される、請求項１〜７のうちいずれか一項に記載の色選択入力デバイス。
【請求項９】
前記彩度選択手段及び／又は前記明度選択手段は、機械的選択バーにより実装される、請求項１〜８のうちいずれか一項に記載の色選択入力デバイス。
【請求項１０】
前記色相選択手段、前記彩度選択手段及び／又は前記明度選択手段は、タッチスクリーンディスプレイ上に適用される、請求項１〜９のうちいずれか一項に記載の色選択入力デバイス。
【請求項１１】
色相のグラデーションに関して選択可能な色を色相選択手段の方向に沿って表す前記色相選択手段を設けるステップと、
選択可能な彩度のグラデーションを彩度選択手段の方向に沿って表す前記彩度選択手段を設けるステップと、
前記色相選択手段及び前記彩度選択手段が重複領域を有し、前記彩度選択手段が、透明であり、色相及び彩度の選択を前記重複領域において視覚化するために完全な透明から完全な白色までのグラデーションが付されるように前記色相選択手段及び前記彩度選択手段を設けるステップと、
前記色相選択手段及び前記彩度選択手段の位置を検出し、検出された前記位置に依存して色選択信号を生成するステップとを有する、色選択入力方法。
【請求項１２】
コンピュータにより実行されたときに請求項１１に記載の方法の少なくとも一部を実行することを可能にする、コンピュータプログラム。
【請求項１３】
請求項１２に記載のコンピュータプログラムを記憶する、記録媒体。
【発明の詳細な説明】
【技術分野】
【０００１】
本発明は、特に照明システムのための、例えば色選択ホイール又はパッドによる、色選択入力に関する。
【背景技術】
【０００２】
最新の照明システムは、例えば着色照明等の異なる種類の照明を適用することにより、特定の照明雰囲気を作り出すことを可能にする。斯様な照明システムの一例は、出願人の新規なLiving Colors TMである。このランプは、ユーザがユーザインタフェースとしてのリモートコントロールユニットで所望の着色照明雰囲気を気楽に作り出すことを可能にする。これは、ユーザが、照明を制御し、異なるユーザ入力手段で、色相／彩度／明度の色空間においてナビゲートすることを可能にする。色相を調節するために、ホイールが設けられる。彩度及び明度は、彩度及び明度をそれぞれ増大及び減少させるための別個のボタンで制御される。
【０００３】
国際公開第２００７／０７２２９４号は、光源を制御するためのユーザインタフェースを開示しており、これは、カラーホイールをぐるりと回すことにより作動されたときに、光源から放射された光の色を変えるように構成された中央ボタンと、作動されたときに、光の彩度を変えるように構成された彩度ボタンと、作動されたときに、前記光の色相を調節するように構成された色相ボタンとを含む。中央、彩度及び色相ボタンは、別個のボタンであってもよく、又は、１つのボタンに統合されてもよい。ユーザインタフェースデバイスは、中央ボタンとは空間的に別個に配置され、作動されたときに、光の強度を変えるように構成された明度ボタンを更に含む。このユーザインタフェースデバイスは、ユーザが、各ボタンを作動させることにより、色相／彩度／明度の色空間をナビゲートすることを可能にする。
【０００４】
しかしながら、色入力デバイスを伴うユーザテストは、多くのユーザが色相／彩度の色空間にナビゲートすること、及び、"彩度"という概念と"調光"という概念とを区別することが困難であることを示した。
【発明の概要】
【発明が解決しようとする課題】
【０００５】
本発明の目的は、改良された色選択入力デバイス及び方法を提供することにある。
【課題を解決するための手段】
【０００６】
本目的は、独立請求項により解決される。更なる実施形態は、従属請求項により示される。
【０００７】
本発明の基本的な考え方は、ユーザが例えば照明システムの色相／彩度の色空間においてナビゲートするのをより快適にするために、ユーザが意図した色設定を色選択入力デバイス上に視覚化することである。これは、色相入力手段及び彩度入力手段による本発明に従って達成され得る。これらの手段は、これらの手段が部分的に重複し、重複エリアが色相／彩度の色空間において選択された色設定を示すように構成される。これは、ユーザが色相／彩度の色空間において直感的にナビゲートし、所望の色を楽に選択することを可能にする。更に、本発明は、一種のWYSIWYG（What You See Is What You Get）入力手であるので、ユーザは、本発明の色入力デバイスの使い方、及び、色相及び彩度入力手段と関連したパラメータでの色の作り方を容易に理解することができる。本発明は、照明又は視覚化システムに適用され得る。照明システムは、例えば、出願人の新規なLivingColorsTMランプのようなアンビエンス照明システムであってもよい。視覚化システムは、例えば、カラーテレビ、コンピュータモニタ、画像を表示するためのデジタルフォトフレーム、又は、カラー画像若しくは写真を印刷するためのカラープリンタ、コピー機若しくは写真印刷機のような表示スクリーンであってもよい。実際には、本発明は、任意の手法で色を生成する任意のシステムに適用され得る。
【０００８】
本発明の一実施形態は、色相のグラデーション（gradation）に関して選択可能な色を色相選択手段の方向に沿って表す前記色相選択手段と、選択可能な彩度のグラデーションを彩度選択手段の方向に沿って表す前記彩度選択手段と、前記色相選択手段及び前記彩度選択手段の位置を検出し、検出された前記位置に依存して色選択信号を生成する手段とを有し、前記色相選択手段及び前記彩度選択手段は、これらの手段が重複領域を有し、前記彩度選択手段が、透明であり、色相及び彩度の選択を前記重複領域において視覚化するために完全な透明から完全な白色までのグラデーションが付される（shade）ように設けられる、色選択入力デバイスを提供する。
【０００９】
色相及び彩度選択手段の斯様な構成により、色相及び彩度のユーザ選択された組み合わせを視覚化することが可能となり、これは、色相及び彩度選択のための別個のボタンをもつ色入力の可能性よりも、ユーザにとってより便利で直感的に色相及び彩度の色空間を通じたナビゲートを行う。重複領域は、ユーザにより選択された色相／彩度の組み合わせを視覚化するための一種の結果窓を形成する。彩度選択手段が透明でありグラデーションが付されるので、重複領域において、選択された色相の彩度は、彩度選択手段で容易に選択され、重複領域において確かめられる。リモートコントロールユニットとしての色選択入力デバイスの一実施形態において、位置検出及び信号生成のための手段は、例えば、電気回路により実装され、生成された色選択信号は、例えば無線リンクにより、又は、赤外線伝送を介して無線で送信され得る。
【００１０】
本発明の一実施形態において、入力デバイスは、選択可能な明度のグラデーションを明度選択手段の方向に沿って表す明度選択手段を更に有してもよく、明度選択手段は、色相選択手段及び彩度選択手段とともに重複領域を有し、明度選択手段が、透明であり、重複領域において色相、彩度及び明度の選択を視覚化するために完全な透明から完全な黒色までのグラデーションが付されるように設けられる。
【００１１】
本発明の他の実施形態によれば、色相選択手段、彩度選択手段及び／又は明度選択手段は、選択ホイールにより実装され得る。選択ホイールは、色相及び彩度を選択するために回転され、組み合わせの結果が、重複領域において視覚化される。彩度用の選択ホイールは、典型的には透明であり、色相のグラデーション用の選択ホイールを越えて設けられる。また、明度選択ホイールは、透明ホイールとして実装され、他の選択ホイールを越えて設けられる。
【００１２】
本発明の更に他の実施形態において、彩度選択手段又は明度選択手段は、選択バーにより実装され得る。選択バーは、所望の明度レベルを選択するために直線方向に移動され得る。
【００１３】
本発明の他の実施形態によれば、色相選択手段及び彩度選択手段は、選択ホイールにより実装され、双方の選択ホイールは、重複領域を有する重複エリアと並んで設けられ得る。これは、例えばリモートコントロールユニットにおいて多少場所を必要とするが、ユーザのための利用可能な大きな選択エリアに起因して、ユーザにとって非常に快適にナビゲートを行うことができる。
【００１４】
本発明の他の実施形態によれば、明度選択手段は、重複領域を部分的にカバーするように設けられる選択ホイールにより実装され得る。これは、ユーザが選択された色相、彩度及び明度を重複領域において直接確かめることができるので、非常に直感的にナビゲートを行うことができる。
【００１５】
色相選択手段及び彩度選択手段は、選択ホイールにより本発明の他の実施形態に実装され、選択ホイールのうち１つの選択ホイールは、他の選択ホイールよりも小さな直径をもち、重複領域を有する重複エリアを伴う他の選択ホイール上に設けられる。これは、並んだホイールの配置に比べて、リモートコントロール上に僅かのスペースしか必要としない。
【００１６】
本発明の他の実施形態において、色相選択手段、彩度選択手段及び／又は明度選択手段は、機械的回転ホイールにより実装され得る。これらのホイールは、例えばホイールの選択された位置を検出してそれぞれの色選択信号を生成するための電気回路により電気的に読み取られ得る位置検出器を更に有する。
【００１７】
彩度選択手段及び／又は明度選択手段は、機械的選択バーにより本発明の一実施形態に実装されてもよい。機械的選択バーは、例えば一種のポテンショメータであり、バーの位置は、ポテンショメータの抵抗を解析することにより電気的に検出され得る。
【００１８】
また、本発明の一実施形態において、色相選択手段、彩度選択手段及び／又は明度選択手段は、タッチスクリーンディスプレイ上に適用されてもよい。それ故、ホイールは、タッチスクリーンディスプレイ上に電気的に表示され、コンピュータ上で回転されてもよい。
【００１９】
本発明の他の実施形態は、色相のグラデーションに関して選択可能な色を色相選択手段の方向に沿って表す色相選択手段を設けるステップと、選択可能な彩度のグラデーションを彩度選択手段の方向に沿って表わす彩度選択手段を設けるステップと、前記色相選択手段及び前記彩度選択手段が重複領域を有し、前記彩度選択手段が、透明であり、色相及び彩度の選択を前記重複領域において視覚化するために完全な透明から完全な白色までのグラデーションが付されるように前記色相選択手段及び前記彩度選択手段を設けるステップと、前記色相選択手段及び前記彩度選択手段の位置を検出し、検出された前記位置に依存して色選択信号を生成するステップとを有する色選択入力方法を提供する。
【００２０】
この方法は、例えば、タッチスクリーンに適用されてもよく、ユーザが、表された色相及び彩度の色の組み合わせを選択するためにディスプレイ上に接触することにより、色相及び彩度の色空間を直感的にナビゲートすることを可能にし、その一方で、ユーザは、ディスプレイ上の重複エリアにおいて選択された組み合わせを確かめることができる。
【００２１】
本発明の他の実施形態によれば、コンピュータプログラムが提供され、コンピュータプログラムは、コンピュータにより実行されたときに本発明の方法を実行することを可能にする。コンピュータプログラムは、例えば、照明システムを制御するために用いられ得るパーソナルコンピュータ（ＰＣ）、携帯情報端末（ＰＤＡ）又は携帯電話に本発明を実装可能である。
【００２２】
本発明の一実施形態によれば、ＣＤ−ＲＯＭ、ＤＶＤ、メモリカード、フロッピディスク又は同様の記憶媒体等の記録担体が、本発明のコンピュータプログラムを記憶するために提供され得る。
【００２３】
本発明のこれら及び他の態様は、後述される実施形態から明らかになりこれを参照して説明されるだろう。
【００２４】
本発明は、例となる実施形態を参照して以下で詳細に説明されるだろう。しかしながら、本発明は、これらの例となる実施形態に限定されるものではない。
【図面の簡単な説明】
【００２５】
【図１】本発明の色相選択ホイール及び彩度選択ホイールを備えた色入力デバイスの第１の実施形態を示す。
【図２】本発明の色相選択ホイール及び彩度選択ホイールを備えた色入力デバイスの第２の実施形態を示す。
【図３】本発明の色相選択ホイール及び彩度選択バーを備えた色入力デバイスの第３の実施形態を示す。
【図４】本発明の色相選択ホイール、彩度選択ホイール及び明度選択ホイールを備えた色入力デバイスの第４の実施形態を示す。
【図５】本発明の色相選択ホイール、彩度選択ホイール及び明度選択ホイールを備えた色入力デバイスを備えた照明システム用のリモートコントロールの一実施形態を示す。
【発明を実施するための形態】
【００２６】
以下の説明では、本発明は、最新の照明システムに色選択を入力するための多くの場合に用いられるデバイスであるカラーホイール又はサークルにより表わされている。しかしながら、本発明は、カラーホイール又はサークル及び照明システムに限定されるものではなく、カラースライディングコントロール等の他の入力デバイス、又は、"色空間"、即ち二次元表示における利用可能な色をコンピュータ上で表すタッチパッド若しくはコンピュータプログラムにより実装されてもよく、例えばテレビ又はコンピュータディスプレイのための色選択に対して用いられてもよい。更に、図中の（機能的に）類似又は同一の要素は、以下の説明において同一の参照番号で示され得る。
【００２７】
最新の照明システムは、照明強度だけでなく、心地よい雰囲気を作り出すために照明カラーも制御可能である。光源の色をナビゲートして設定するために、いわゆるカラーサークル又はカラーホイールがそれぞれ用いられ得る。カラーサークルは、カラーサークルの円周方向に沿って色相のグラデーションに関して選択可能な色を表す。また、選択可能な色は、例えばテキスト表示をもつ代わりにカラーサークル上に視覚的に表示され得る。それ故、カラーサークルは、ユーザのための一種の快適な色選択エリアを形成する。ユーザは、カラーサークルを機械的に回転させるか、又は、カラーサークル又はホイールがタッチスクリーンディスプレイのようなタッチセンサ式の色入力デバイスにより実装されるときにはカラーサークル上の好ましい色相に触れることにより、特定の色を選択することができる。選択された色相は、カラーサークルを有する色選択入力デバイスから照明システムに送信され、その後、照明システムの光源を制御することにより所望の色を設定する。カラーサークルは、例えば、照明スイッチ、照明システム制御盤、照明システム制御ＰＣ、又は、照明システムのリモートコントロールに実装され得る。更に、最新の照明システムは、多くの場合、彩度を調節することを可能にし、それ故、色選択入力デバイス上に彩度選択手段を供給する。しかしながら、冒頭部分で述べたように、色相及び彩度のカラースペクトルを介してのナビゲーションは、色相及び彩度のための分離したボタンのような別個の入力手段が用いられる場合に、大部分のユーザにとって不便である。
【００２８】
図１は、本発明の一実施形態の色選択入力デバイス１０を示しており、これは、色相選択手段としての色相選択ホイール１２と彩度選択手段としての彩度選択ホイール１４とを有する。双方のホイール１２，１４は、矢印により示された時計回り及び反時計回りに機械的に回転され得るホイールにより実装され得る。色相選択ホイール１２は、ユーザが選択された色相を直接確かめることができるような選択可能な色相のグラデーションを表す可視スケールを有する。彩度選択ホイール１４は、透明であり、完全な透明、即ち完全な飽和色から、完全な白色、即ち不飽和又は白色までのグラデーションが付される。彩度選択ホイール１４の透明度のグラデーションは、例えば、ホイールを形成する透明リング上にプリントされたドットにより行われ得る。ドットは、透明度ファクタに依存して異なる色及び直径をもち得る。また、ドットの密度は、透明度に影響し得る。典型的には、ドットは、ほとんど陰影（shade）がない低密度のドットから、ほとんど完全な白色のための高密度のドットまでの範囲であり得る。
【００２９】
双方のホイール１２，１４は、これらが部分的に重複するか、又は、それぞれ交差するように設けられ、それ故、重複エリア１６を有する。重複エリア１６において、彩度選択ホイール１４は、色相選択ホイール１２の上に設けられる。それ故、重複エリア１６において調節された、色相選択ホイール１２の色相は、彩度選択ホイール１４において選択された彩度のグラデーションによりカバーされる。これは、一種の結果窓においてユーザに対して色相及び彩度の選択された組み合わせを視覚化する。彩度ホイール１４の調節に依存して、結果窓、即ち重複エリア１６において、高い彩度は、彩度選択ホイール１４上にプリントされた低密度のドットで取得され、低い彩度が高密度のドットで取得される。
【００３０】
双方のホイール１２，１４の調節は、電気回路１８により電気的に検出される。電気回路１８は、位置検出のための手段と、照明システムを調節するため、即ち選択された色相及び彩度を調節するために色制御信号１９を生成するための信号生成手段とを実装する。電気回路１８、例えば集積回路は、双方のホイールの位置、即ち調節を電気的に検出するように適合される。所望の色相及び彩度選択に関する検出された調節を処理し、この処理に依存して照明システムのための色制御信号１９を生成し、生成された制御信号１９を照明システムに送信する。
【００３１】
図２は、大きな色相選択ホイール２２と小さな彩度選択ホイール２４とを備えた他の色選択入力デバイス２０を示しており、小さな彩度選択ホイール２４は、色相選択ホイール２２との共通部分、即ち重複エリア２６をもつように色相選択ホイール２２内に設けられる。双方のホイールは、矢印で示されたような時計回り又は反時計回りの方向にホイールを機械的に回転している。また、この実施形態において、色相選択ホイール２２は、ユーザが選択された色相を直接見ることができるように、選択可能な色相のグラデーションを表す可視スケールを有する。そして、彩度選択ホイール２４は、透明であり、完全な透明、即ち完全な飽和色から、完全な白色、即ち不飽和色又は白色までのグラデーションが付され、重複エリア２６において、色相及び彩度のユーザ選択された組み合わせが可視であるように、色相選択ホイール２２の上に設けられる。
【００３２】
また、色選択ホイールの代わりに、選択バーが用いられてもよい。図３は、彩度選択バー３４を備えた本発明の色入力選択デバイス３０の他の実施形態を示しており、彩度選択バー３４は、色相選択ホイール３２との重複エリア３６において部分的に重複している。色相及び彩度の組み合わせの選択は、重複エリア３６において所望の色相のグラデーションを調節するために、矢印で示されたように機械的に回転している色相選択ホイール３２を回転させることにより実行され得る。所望の彩度は、矢印で示された方向に彩度選択バー３４を移動させることにより選択され得る。彩度選択バー３４は、透明であり、完全な透明、即ち完全な飽和から、完全な白色、即ち完全な不飽和までのグラデーションが付されるので、色相及び彩度の生ずる組み合わせは、重複エリア３６において可視である。
【００３３】
図４に示された本発明の色入力選択デバイス４０の他の実施形態においては、色相／彩度／明度の組み合わせを気楽に選択するために、明度選択ホイール４８も設けられる。これは、異なるホイール４２，４４，４８を回転させることにより色相／彩度／明度の色空間を気楽にナビゲートし、その組み合わせを、全てのホイール４２，４４，４８の交差部分である重複エリア４６において確かめることを可能にする。組み合わせを可視にするために、色相選択ホイール４２は、全てのホイールの底部に設けられ、その一方で、双方のホイールは、透明であり、完全な透明、即ち完全な飽和及び完全な明るさから、それぞれ、完全な白色及び完全な黒色、即ち完全な不飽和及び完全な暗色（dimmed）までのグラデーションが付されるので、彩度又は明度ホイール４４，４８は、それぞれ上側に設けられ得る。
【００３４】
図５は、出願人のLivingColorsTMランプのような照明システム５６のためのリモートコントロールユニット５０の一実施形態を示している。リモートコントロールユニット５０は、図４に示された、色相、彩度及び明度のための３つのカラーホイールを備えた色選択入力デバイス５２を有する。ランプ５６は、リモートコントロールユニット５０上のオン／オフスイッチ５４でオン及びオフに切り替えられ得る。リモートコントロールユニット５０上の各入力は、ユニット５０の内部電気回路（図示省略）により処理される。処理の結果として、ランプのための制御信号６０が生成され、無線リンクを介してランプ６０の内部制御回路に送信される。ランプ６０の内部制御回路は、受信した制御信号６０に従って、生成された照明５８を変化させ、特に、ランプ５６の異なる色のＬＥＤ(Light Emitting Diode)により生成された着色照明５８の色相、彩度及び明度を調節する。
【００３５】
本発明は、照明システムの色調節の分野のアプリケーションに特に適している。
【００３６】
本発明は、特に好ましい色相及び彩度を選択するために、ユーザが色相及び彩度の色空間においてナビゲートするのをより快適で直感的にさせるという主な利点をもつ。
【００３７】
色選択処理手段の機能のような本発明の機能の少なくとも幾つかは、ハードウェア又はソフトウェアにより実行され得る。ソフトウェアにおける実装の場合において、１つ又は複数の標準的なマイクロプロセッサ又はマイクロコントローラは、本発明を実行する１つ又は複数のアルゴリズムを処理するために用いられ得る。
【００３８】
"有する"という用語は、他の要素又はステップを除外するものではなく、単数表記は、複数を除外するものではなことが留意されるべきである。更に、特許請求の範囲中の如何なる参照符号も、本発明の範囲を限定するものとして考慮されるべきではない。
【図１】
2011510469.tif 000003
【図２】
2011510469.tif 000004
【図３】
2011510469.tif 000005
【図４】
2011510469.tif 000006
【図５】
2011510469.tif 000007
【国際調査報告】
2011510469.tif 000008
2011510469.tif 000009